(57)【特許請求の範囲】
【請求項１】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
前記第１位置データまたは前記第２位置データに基づいて前記表示部を制御する表示制御部と、を備え、
前記表示制御部は、タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する、
ことを特徴とするタッチ検出機能を有する電子機器。
【請求項２】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
前記第１位置データまたは前記第２位置データに基づいて前記表示部を制御する表示制御部と、を備え、
前記表示制御部は、タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する、
ことを特徴とするタッチ検出機能を有する電子機器。
【請求項３】
請求項１または２に記載のタッチ検出機能を有する電子機器において、
前記表示制御部は、実行されるアプリケーションプログラムに基づいて、前記第１位置データまたは前記第２位置データを前記表示部の制御に用いる位置データとして選択する、
ことを特徴とするタッチ検出機能を有する電子機器。
【請求項４】
請求項１ないし３の何れか一項に記載のタッチ検出機能を有する電子機器において、
前記表示制御部は、前記初期のタッチ位置に存在する前記対象画像のサイズが所定サイズより小さいか否かに基づいて、前記第１位置データまたは前記第２位置データを前記表示部の制御に用いる位置データとして選択する、
ことを特徴とするタッチ検出機能を有する電子機器。
【請求項５】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
を備えるタッチ検出機能を有する電子機器のコンピュータに、
前記第１位置データまたは前記第２位置データに基づいて前記表示部を制御する機能と、
タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する機能と、
を実行させるプログラム。
【請求項６】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
を備えるタッチ検出機能を有する電子機器の制御方法であって、
タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する第１ステップと、
前記第１ステップにより取得された位置データに基づいて前記表示部を制御する第２ステップと、
を含む制御方法。
【請求項７】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
を備えるタッチ検出機能を有する電子機器のコンピュータに、
前記第１位置データまたは前記第２位置データに基づいて前記表示部を制御する機能と、
タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する機能と、
を実行させるプログラム。
【請求項８】
タッチ操作の対象となる対象画像を含む画面を表示する表示部と、
前記表示部の表示面に対するタッチ位置を検出する位置検出部と、
複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、
を備えるタッチ検出機能を有する電子機器の制御方法であって、
タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する第１ステップと、
前記第１ステップにより取得された位置データに基づいて前記表示部を制御する第２ステップと、
を含む制御方法。
【発明の詳細な説明】
【技術分野】
【０００１】
本発明は、タッチパネル式の携帯電話機、ＰＤＡ（Personal DigitalAssistant）、タブレットＰＣ（Tablet PC）、電子書籍端末、携帯音楽プレーヤ、ポータブルテレビ等、タッチ検出機能を有する電子機器に関する。また、本発明は、かかる電子機器に用いて好適なプログラムおよび制御方法に関する。
【背景技術】
【０００２】
従来、表示面上にタッチパネルを配し、表示面に対するユーザのタッチ操作に基づいて、各種のアプリケーションプログラム（以下、単に「アプリケーション」と称する。）を実行する携帯電話機が知られている（特許文献１参照）。かかる携帯電話機では、ノイズや指ぶれ等により生ずる誤検出を防止するために、複数の検出タイミングにおけるタッチ位置の位置データを平均化し、平均化した位置データを用いて、タッチ操作に基づく処理が実行される構成が採られ得る。
【先行技術文献】
【特許文献】
【０００３】
【特許文献１】特開２０１１−０９７２５４号公報
【発明の概要】
【発明が解決しようとする課題】
【０００４】
しかしながら、上記のように平均化した位置データを用いる場合、複数回のタッチ位置の検出を待つ必要があるため、どうしても位置データの出力に遅延が生じる。このため、ユーザの指の動きに対して、機器の動作の追従性が低下しやすい。たとえば、画面をスクロールするためにスライド操作が行われた場合、指をスライドさせる動きにやや遅れて画面がスクロールされ得る。よって、実行されるアプリケーション等の内容によっては、ユーザが不便さを感じてしまう虞がある。
【０００５】
そこで、本発明は、追従性の低下を抑制しつつタッチ操作の信頼性を高めることができる、タッチ検出機能を有する電子機器、プログラムおよびタッチ検出機能を有する電子機器の制御方法を提供することを目的とする。
【課題を解決するための手段】
【０００６】
本発明の第１の態様に係るタッチ検出機能を有する電子機器は、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、前記第１位置データまたは前記第２位置データに基づいて前記表示部を制御する表示制御部と、を備える。ここで、前記表示制御部は、タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する。
本発明の第２の態様に係るタッチ検出機能を有する電子機器は、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、前記第１位置データまたは前記第２位置データに基づいて前記表示部を制御する表示制御部と、を備える。ここで、前記表示制御部は、タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する。
【０００７】
第１の態様または第２の態様に係るタッチ検出機能を有する電子機器において、前記表示制御部は、実行されるアプリケーションプログラムに基づいて、前記第１位置データまたは前記第２位置データを前記表示部の制御に用いる位置データとして選択するような構成とされ得る。
【００１１】
第１の態様または第２の態様に係るタッチ検出機能を有する電子機器において、前記表示制御部は、前記初期のタッチ位置に存在する前記対象画像のサイズが所定サイズより小さいか否かに基づいて、前記第１位置データまたは前記第２位置データを前記表示部の制御に用いる位置データとして選択するような構成とされ得る。
【００１２】
本発明の第３の態様に係るプログラムは、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、を備えるタッチ検出機能を有する電子機器のコンピュータに、前記第１位置データまたは前記第２位置データに基づいて前記表示部を制御する機能と、タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する機能と、を実行させる。
本発明の第４の態様は、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、を備えるタッチ検出機能を有する電子機器の制御方法に関する。本体様に係る制御方法は、タッチ操作がなされた際の前記表示面への初期のタッチ位置から所定範囲内に、当該初期のタッチ位置に存在する前記対象画像とは別の前記対象画像が存在するか否かに基づいて、前記第１位置データまたは前記第２位置データを前記表示部の制御に用いる位置データとして選択する第１ステップと、前記第１ステップにより取得された位置データに基づいて前記表示部を制御する第２ステップと、を含む。
【００１３】
本発明の第５の態様に係るプログラムは、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、を備えるタッチ検出機能を有する電子機器のコンピュータに、前記第１位置データまたは前記第２位置データに基づいて前記表示部を制御する機能と、タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する機能と、を実行させる。
【００１４】
本発明の第６の態様は、タッチ操作の対象となる対象画像を含む画面を表示する表示部と、前記表示部の表示面に対するタッチ位置を検出する位置検出部と、複数の検出タイミングにおいてそれぞれ検出されたタッチ位置の位置データが平均化された位置データである第１位置データと、個々の検出タイミングにおいて検出されたタッチ位置の位置データである、または前記第１位置データより少ない検出タイミングにおいてそれぞれ検出されたタッチ位置の位置データが平均化された位置データである第２位置データと、を出力する位置データ出力部と、を備えるタッチ検出機能を有する電子機器の制御方法に関する。本態様に係る制御方法は、タッチ操作がなされた際の前記表示面への初期のタッチ位置に存在する前記対象画像に前記画面をスクロールするためのタッチ操作が割り当てられているか否かに基づいて、前記第１位置データまたは前記第２位置データを前記表示部の制御に用いる位置データとして選択する第１ステップと、前記第１ステップにより取得された位置データに基づいて前記表示部を制御する第２ステップと、を含む。
【発明の効果】
【００１５】
本発明によれば、追従性の低下を抑制しつつタッチ操作の信頼性を高めることができる。
【００１６】
本発明の効果ないし意義は、以下に示す実施の形態の説明によりさらに明らかとなろう
。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】第１実施形態に係る、携帯電話機の構成を示す図である。
【図２】第１実施形態に係る、携帯電話機の全体構成を示すブロック図である。
【図３】第１実施形態に係る、分類リストおよび画面情報テーブルを示す図である。
【図４】第１実施形態に係る、位置データ切り替え処理および表示制御処理の流れを示すフローチャートである。
【図５】第１実施形態の変更例に係る、位置データ切り替え処理について説明するための図である。
【図６】第２実施形態に係る、携帯電話機の全体構成を示すブロック図である。
【図７】第２実施形態に係る、表示制御処理の流れを示すフローチャートである。
【図８】第２実施形態に係る、表示面に対してなされる各種の操作例について説明するための図である。
【図９】第２実施形態の変更例に係る、表示制御処理の流れを示すフローチャートである。
【図１０】その他の変更例について説明するための図である。
【発明を実施するための形態】
【００１８】
以下、本発明の実施の形態について、図面を参照して説明する。
【００１９】
＜第１実施形態＞
図１は、携帯電話機１の構成を示す図である。図１（ａ）および（ｂ）は、それぞれ、正面図および背面図である。
【００２０】
以下、説明の便宜上、図１に示すように、キャビネット２の長手方向を上下方向と定義し、キャビネット２の短手方向を左右方向と定義する。
【００２１】
携帯電話機１は、キャビネット２と、表示面３と、マイクロフォン４と、通話スピーカ５と、キー操作部６と、外部スピーカ７とを備えている。
【００２２】
キャビネット２は、正面から見て、ほぼ長方形状を有する。キャビネット２の正面に、後述する表示部の表示面３が配されている。表示面３は、長方形状を有する。
【００２３】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、主に、音声が出力される。出力された音声は、キャビネット２の正面に形成された出力孔５ａを通じて外部に放出される。
【００２４】
キャビネット２の正面には、キー操作部６が設けられている。キー操作部６は、複数の操作キーから構成されている。操作キーは、たとえば、ハードキーである。各操作キーには、実行中のプログラム等に応じた各種の機能が割り当てられる。
【００２５】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２６】
表示面３には、各種アプリケーションの実行画面など、操作対象となる画面が表示され
る。ユーザは、表示面３に指、タッチペン等（以下、単に「指」と言う。）を触れることにより各種のタッチ操作を行える。
【００２７】
タッチ操作の種類として、タップ操作、ロングタップ操作、フリック操作、スライド操作等が挙げられる。タップ操作は、表示面３に指を接触させた後、短時間のうちに指を表示面３から離す操作である。ロングタップ操作は、所定時間以上、指を表示面３に接触させ続けた後、指を表示面３から離す操作である。フリック操作は、表示面３を指で任意の方向に弾く操作である。スライド操作は、表示面３に指を接触させたまま任意の方向へ移動させる操作である。
【００２８】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００２９】
記憶部１２は、ＲＯＭ、ＲＡＭ等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。
【００３０】
記憶部１２は、プログラムの実行の際、一時的に利用または生成されるデータを記憶するワーキング領域としても使用される。
【００３１】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３２】
表示部１３は、液晶ディスプレイ等から構成される。表示部１３は、制御部１１からの制御信号と画像信号とに基づき、表示面３に画像（画面）を表示する。表示部１３は、液晶ディスプレイに限らず、有機ＥＬディスプレイ等、他の表示装置から構成されてもよい。
【００３３】
タッチ検出部１４は、タッチパネル１４ａとパネルコントローラ１４ｂとを備えている。タッチパネル１４ａは、透明なシート状に形成され、表示面３上を覆うようにキャビネット２の正面に配される。タッチパネル１４ａは、所定のサンプリング周期で、表示面３への指の接触を検出する。タッチパネル１４ａは、静電容量式、超音波式、感圧式、抵抗膜式、光検知式等、各種のタッチパネルであってよい。
【００３４】
図１（ａ）に示すように、表示面３上には、たとえば、表示面３の左下の角を原点とし、左右方向をＸ軸、上下方向をＹ軸とする直交座標系が設定されている。表示面３に指がタッチされると、タッチパネル１４ａからは、表示面３におけるタッチ位置を示す座標値が、タッチ位置の位置データとして、所定のサンプリング周期で、順次、パネルコントローラ１４ｂへ出力される。
【００３５】
パネルコントローラ１４ｂは、単一データモードおよび平均データモードの２つの出力モードを有する。出力モードは、制御部１１からのコマンド信号により設定される。パネルコントローラ１４ｂは、単一データモードに設定されると、サンプリングタイミング毎にタッチパネル１４ａから入力された位置データ（以下、「単一位置データ」という）を、そのまま制御部１１へ出力する。パネルコントローラ１４ｂは、平均データモードに設定されると、複数回のサンプリングタイミングにおいてタッチパネル１４ａから入力された単一位置データを平均化する平均化処理を行い、平均化された位置データ（以下、「平
均位置データ」という）を制御部１１へ出力する。平均位置データが本発明の第１位置データに相当し、単一位置データが、本発明の第２位置データに相当する。
【００３６】
単一位置データは、最初のタッチ位置が検出された後、直ちにタッチ検出部１４から出力が開始される。一方、平均位置データは、平均化処理を行うため、最初のタッチ位置の検出から平均化処理に要する時間が経過した後に、タッチ検出部１４から出力が開始される。
【００３７】
音声入力部１５は、マイクロフォン４等から構成される。音声入力部１５は、マイクロフォン４からの電気信号を音声処理部１７へ出力する。
【００３８】
音声出力部１６は、通話スピーカ５、外部スピーカ７等から構成される。音声出力部１６には、音声処理部１７からの電気信号が入力され、通話スピーカ５または外部スピーカ７から音（音声、報知音等）が出力される。
【００３９】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４０】
キー入力部１８は、キー操作部６の各操作キーが押下されたときに、押下された操作キーに応じた信号を制御部１１へ出力する。
【００４１】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４２】
制御部１１は、実行されるアプリケーションに応じて、タッチ検出部１４から出力される位置データを、単一位置データと平均位置データとの間で切り替えるための位置データ切り替え処理を実行する。さらに、制御部１１は、タッチ検出部１４から出力された位置データ（単一位置データ、平均位置データ）に基づいて、表示部１３に対する表示制御処理を実行する。
【００４３】
図３（ａ）は、位置データ切り替え処理に用いられる分類リスト１２ａを示す図である。図３（ｂ）は、表示制御処理に用いられる画面情報テーブル１２ｂを示す図である。
【００４４】
記憶部１２には、分類リスト１２ａが記憶されている。図３（ａ）に示すように、分類リスト１２ａにおいて、携帯電話機１に搭載されたアプリケーションが、位置データの平均化処理を要するアプリケーションと、位置データの平均化処理を要しないアプリケーションと、に分類されている。平均化処理を要するアプリケーションは、ノイズや指ぶれの影響を小さくし、タッチ操作の信頼性を高める必要があるアプリケーション（以下、「信頼性重視のアプリケーション」という）である。平均化処理を要しないアプリケーションは、ノイズや指ぶれの影響が小さいため、タッチ操作の信頼性よりもタッチ操作に対する携帯電話機１の動作の追従性を高める必要があるアプリケーション（以下、「追従性重視のアプリケーション」という）である。
【００４５】
図３（ａ）に示すように、信頼性重視のアプリケーションとして、たとえば、「お絵描き」、「ウェブブラウザ」等のアプリケーションが挙げられる。追従性重視のアプリケー
ションとして、たとえば、「ホーム」、「ギャラリ」等のアプリケーションが挙げられる。
【００４６】
お絵描きのアプリケーションでは、表示面３上を指でなぞることにより表示面３に描画がなされる。よって、指ぶれ等により、表示面３に描いた線がぶれないようにする必要がある。ウェブブラウザのアプリケーションによって表示面３に表示されるウェブ画面上には、多くの情報が載せられる。このため、ウェブ画面に含まれる、検索ボタン、ハイパーテキスト（ハイパーリンクが設定されたテキスト）等のタッチ操作の対象となる画像は、比較的小さなサイズとなる。よって、ウェブブラウザのアプリケーションでは、画面上の小さな画像に対するタッチ操作を確実に検出する必要がある。
【００４７】
ホームのアプリケーションは、表示面３にホーム画面を表示するためのアプリケーションである。ホームのアプリケーションでは、ホーム画面に配置された各種のアイコンの中から所望のアイコンを選ぶため、フリック操作またはスライド操作により画面がスクロールされ得る。ギャラリのアプリケーションは、写真、動画を管理するアプリケーションである。ギャラリのアプリケーションでは、写真、動画のサムネイル画像の一覧画面において、所望のサムネイル画像を選ぶため、フリック操作またはスライド操作により画面がスクロールされ得る。ホームおよびギャラリのアプリケーションでは、フリック操作またはスライド操作に素早く応答し、画面がスクロールすることが望ましい。
【００４８】
記憶部１２には、表示部１３に画面が表示される際、表示される画面に係る画面情報テーブル１２ｂが構築される。画面情報テーブル１２ｂは、画面の更新に合わせて更新される。図３（ｂ）に示すように、画面情報テーブル１２ｂには、アイコン、背景画像等、画面を構成する各構成画像に関して、構成画像が存在する表示面３上の位置範囲を示すエリアデータ、構成画像に割り当てられたタッチ操作、タッチ操作に対応する処理内容が記憶されている。スクロールしない画面の背景画像等、タッチ操作の対象とならない構成画像がある場合には、画面情報テーブル１２ｂのタッチ操作のおよび処理内容のそれぞれの欄（記憶領域）に、タッチ操作に係るデータおよび処理内容に係るデータが記憶されない。
【００４９】
図４（ａ）は、位置データ切り替え処理の流れを示すフローチャートである。以下、位置データ切り替え処理について説明する。
【００５０】
携帯電話機１が起動されると、まず、ホームのアプリケーションが制御部１１によって起動され、ホーム画面が表示面３に表示される。ホーム画面において、所望のアイコンに対してタップ操作がなされると、操作されたアイコンに対応するアプリケーションが制御部１１により起動され、実行画面が表示面３に表示される。
【００５１】
制御部１１は、ホーム、あるいはその他のアプリケーションが起動されると（Ｓ１０１：ＹＥＳ）、分類リスト１２ａを参照して、起動されたアプリケーションが位置データの平均化処理を要するアプリケーションであるか否かを判定する（Ｓ１０２）。
【００５２】
起動されたアプリケーションが、「ウェブブラウザ」、「お絵描き」等、平均化処理を要するアプリケーションであると判定すると（Ｓ１０２：ＹＥＳ）、制御部１１は、表示部１３の制御に用いる位置データとして平均位置データを選択し、パネルコントローラ１４ｂの出力モードを平均データモードに設定するためのコマンド信号をタッチ検出部１４へ出力する（Ｓ１０３）。パネルコントローラ１４ｂの出力モードが平均データモードに設定され、パネルコントローラ１４ｂから制御部１１へ平均位置データが出力される。
【００５３】
一方、起動されたアプリケーションが、「ホーム」、「ギャラリ」等、平均化処理を要しないアプリケーションであると判定すると（Ｓ１０２：ＮＯ）、制御部１１は、表示部
１３の制御に用いる位置データとして単一位置データを選択し、パネルコントローラ１４ｂの出力モードを単一データモードに設定するためのコマンド信号をタッチ検出部１４へ出力する（Ｓ１０４）。パネルコントローラ１４ｂの出力モードが単一データモードに設定され、パネルコントローラ１４ｂから制御部１１へ単一位置データが出力される。
【００５４】
ステップＳ１０３またはステップＳ１０４の処理が実行されると、ステップＳ１０１の処理に戻る。制御部１１は、新たなアプリケーションが起動されたか否かを監視する（Ｓ１０１）。
【００５５】
図４（ｂ）は、表示制御処理の流れを示すフローチャートである。以下、表示制御処理について説明する。
【００５６】
ユーザによるタッチ操作がなされると、制御部１１は、タッチ検出部１４から位置データを取得する（Ｓ２０１）。制御部１１は、出力モードが平均データモードに設定されている場合、タッチ検出部１４から平均位置データを取得し、出力モードが単一データモードに設定されている場合、タッチ検出部１４から単一位置データを取得する。ユーザによるタッチ操作がなされている間、平均位置データまたは単一位置データが、順次、制御部１１により取得される。
【００５７】
制御部１１は、取得した位置データに基づいて、画面情報テーブル１２ｂを参照してタッチ操作がなされた構成画像を判定するとともに、タッチ操作の種類を判定する（Ｓ２０２）。たとえば、タッチ位置が検出された後予め定めた第１時間以内にタッチ位置が検出されなくなった場合、制御部１１は、タップ操作がなされたと判定する。タッチ位置が検出された後予め定めた第２時間以上タッチ位置が検出され続け、その後タッチ位置が検出されなくなった場合、制御部１１は、ロングタップ操作がなされたと判定する。タッチ位置が検出された後予め定めた第３時間以内に予め定めた第１距離以上タッチ位置が移動し、タッチ位置が検出されなくなった場合、制御部１１は、フリック操作がなされたと判定する。タッチ位置が検出された後予め定めた第２距離以上タッチ位置が移動すると、制御部１１は、スライド操作がなされたと判定する。
【００５８】
制御部１１は、画面情報テーブル１２ｂを参照し、タッチ操作がなされた構成画像とタッチ操作の種類に割り当てられた処理を実行し、表示部１３の画面を更新する（Ｓ２０３）。
【００５９】
たとえば、ホーム画面において、背景画像に対してスライド操作がなされた場合、制御部１１は、指の動きに従って画面がスクロールするように、表示部１３の画面を更新する。ホームのアプリケーションが実行される場合は、表示部１３の制御に単一位置データが用いられる。よって、指の移動に素早く応答して画面をスクロールさせることができる。
【００６０】
たとえば、お絵描きのアプリケーションの実行画面において、表示面３が指でなぞられると、制御部１１は、指の移動に従って指の軌道上に線が描かれるように、表示部１３の画面を順次更新する。お絵描きのアプリケーションが実行される場合は、表示部１３の制御に平均位置データが用いられる。よって、移動中に多少指がぶれても、線のぶれは抑えられ、きれいな線が描かれる。
【００６１】
以上、本実施の形態によれば、単一位置データおよび平均位置データのうち、実行されるアプリケーションに適する位置データがタッチ操作の検出に用いられる。よって、追従性の低下を抑制しつつタッチ操作の信頼性を高めることができる。
【００６２】
＜第１実施形態の変更例＞
図５は、本変更例に係る位置データ切り替え処理について説明するための図である。図５（ａ）は、本変更例の分類リスト１２ａを示す図である。図５（ｂ）は、本変更例の位置データ切り替え処理の流れを示すフローチャートである。
【００６３】
上記第１実施形態では、パネルコントローラ１４ｂが、出力モードとして、平均位置データを出力する平均データモードと、単一位置データを出力する単一データモードとを有する構成とされた。
【００６４】
本変更例では、パネルコントローラ１４ｂが、出力モードとして、高平均データモードと低平均データモードとを有する。高平均データモードでは、高度な平均化処理により、低平均データモードより多い個数の単一位置データが平均化され、平均化された位置データ（以下、「高平均位置データ」という）が出力される。低平均データモードでは、低度な平均化処理により、高平均データモードより少ない個数の単一位置データが平均化され、平均化された位置データ（以下、「低平均位置データ」という）が出力される。最初の単一位置データが出力されてから低平均位置データが出力されるまでの遅延時間は、高平均位置データにおける遅延時間よりも短くなる。
【００６５】
高平均位置データが、本発明の第１位置データに相当し、低平均位置データが、本発明の第２位置データに相当する。
【００６６】
図５（ａ）の分類リスト１２ａに示すように、「お絵描き」、「ウェブブラウザ」等、信頼性重視のアプリケーションには、高度な平均化処理が適用され、「ホーム」、「ギャラリ」等、追従性重視のアプリケーションには、低度な平均化処理が適用される。
【００６７】
図５（ｂ）のフローチャートを参照し、本変更例の位置データ切り替え処理について説明する。
【００６８】
制御部１１は、アプリケーションが起動されると（Ｓ１１１：ＹＥＳ）、分類リスト１２ａを参照して、起動されたアプリケーションが高度な平均化処理を要するアプリケーションであるか否かを判定する（Ｓ１１２）。
【００６９】
起動されたアプリケーションが、高度な平均化処理を要するアプリケーションであると判定すると（Ｓ１１２：ＹＥＳ）、制御部１１は、表示部１３の制御に用いる位置データとして高平均位置データを選択し、パネルコントローラ１４ｂの出力モードを高平均データモードに設定するためのコマンド信号をタッチ検出部１４へ出力する（Ｓ１１３）。パネルコントローラ１４ｂの出力モードが高平均データモードに設定され、パネルコントローラ１４ｂから制御部１１へ高平均位置データが出力される。
【００７０】
一方、起動されたアプリケーションが、高度な平均化処理を要しないアプリケーションであると判定すると（Ｓ１１２：ＮＯ）、制御部１１は、表示部１３の制御に用いる位置データとして低平均位置データを選択し、パネルコントローラ１４ｂの出力モードを低平均データモードに設定するためのコマンド信号をタッチ検出部１４へ出力する（Ｓ１１４）。パネルコントローラ１４ｂの出力モードが低平均データモードに設定され、パネルコントローラ１４ｂから制御部１１へ低平均位置データが出力される。
【００７１】
以上、本変更例によれば、上記第１実施形態と同様、追従性の低下を抑制しつつタッチ操作の信頼性を高めることができる。ただし、上記第１実施形態に比べ、全体として、追従性の低下の抑止効果はやや小さくなり、タッチ操作の信頼性はやや高まる。
【００７２】
＜第２実施形態＞
上記第１実施形態では、実行されるアプリケーションプログラムが選択条件とされ、実行されるアプリケーションプログラムに基づいて、平均位置データまたは単一位置データが、表示部１３の制御に用いる位置データとして選択された。
【００７３】
これに対し、本実施の形態では、タッチ操作がなされた際の表示面３への初期のタッチ位置（最初のタッチ位置）およびその周辺における画面の状況が、位置データを選択するための選択条件とされる。具体的には、初期のタッチ位置から所定範囲以内に、初期のタッチ位置に存在する対象画像とは別の対象画像があるか否か、初期のタッチ位置に存在する対象画像のサイズが所定の閾値以下であるか否か、および、初期のタッチ位置に存在する対象画像に画面をスクロールためのタッチ操作が割り当てられているか否か、が選択条件とされる。
【００７４】
図６は、携帯電話機１の全体構成を示すブロック図である。
【００７５】
本実施の形態では、制御部１１からのコマンド信号によりパネルコントローラ１４ｂの出力モードが切り替えられる構成とされていない。パネルコントローラ１４ｂからは、平均位置データと単一位置データとが同時期に制御部１１へ出力される。ただし、平均位置データは、平均化処理が行われる分、単一位置データよりも遅れて出力が開始される。
【００７６】
記憶部１２には、上記第１実施形態と同様、表示面３に画面が表示される際に、図３（ｂ）に示される画面情報テーブル１２ｂが構築される。
【００７７】
その他の構成については、上記第１実施形態と同様である。
【００７８】
図７は、表示制御処理の流れを示すフローチャートである。
【００７９】
ユーザによるタッチ操作がなされ、タッチ検出部１４から初期のタッチ位置を示す最初の単一位置データが出力されると、制御部１１は、この最初の単一位置データを取得する（Ｓ３０１）。
【００８０】
制御部１１は、取得した単一位置データに基づいて、画面情報テーブル１２ｂを参照し、初期のタッチ値に、タッチ操作の対象となる構成画像（以下、「対象画像」という）が存在するか否かを判定する（Ｓ３０２）。対象画像が存在すれば（Ｓ３０２：ＹＥＳ）、制御部１１は、初期のタッチ位置から所定範囲以内に、初期のタッチ位置に存在する対象画像とは別の対象画像が存在するか否かを判定する（Ｓ３０３）。別の対象画像が存在しなければ（Ｓ３０３：ＮＯ）、制御部１１は、初期のタッチ位置に存在する対象画像のエリアデータに基づいて、その対象画像のサイズが所定の閾値以下であるか否かを判定する（Ｓ３０４）。対象画像のサイズが所定の閾値以下でなければ（Ｓ３０４：ＮＯ）、制御部１１は、初期のタッチ位置に存在する対象画像に画面をスクロールためのタッチ操作が割り当てられているか否かを判定する（Ｓ３０５）。
【００８１】
制御部１１は、初期のタッチ位置から所定範囲以内に別の対象画像が存在するか（Ｓ３０３：ＹＥＳ）、あるいは、対象画像のサイズが所定の閾値以下であるか（Ｓ３０４：ＹＥＳ）、あるいは、対象画像に画面をスクロールためのタッチ操作が割り当てられてなければ（Ｓ３０５：ＮＯ）、単一位置データより遅れて出力され始める平均位置データを、表示部１３の制御に用いる位置データとして選択し、この回のタッチ操作がなされている間、平均位置データを順次取得する（Ｓ３０６）。
【００８２】
一方、制御部１１は、初期のタッチ位置から所定範囲以内に別の対象画像が存在せず（Ｓ３０３：ＮＯ）、且つ、対象画像のサイズが所定の閾値以下でなく（Ｓ３０４：ＮＯ）
、且つ、対象画像に画面をスクロールためのタッチ操作が割り当てられていれば（Ｓ３０５：ＹＥＳ）、単一位置データを表示部１３の制御に用いる位置データとして選択し、この回のタッチ操作がなされている間、引き続き単一位置データを順次取得する（Ｓ３０７）。
【００８３】
制御部１１は、取得した位置データ（平均位置データまたは単一位置データ）に基づいて、画面情報テーブル１２ｂを参照してタッチ操作がなされた構成画像を判定するとともに、タッチ操作の種類を判定する（Ｓ３０８）。制御部１１は、画面情報テーブル１２ｂを参照し、タッチ操作がなされた構成画像とタッチ操作の種類に割り当てられた処理を実行し、表示部１３の画面を更新する（Ｓ３０９）。
【００８４】
図８は、表示面３に対してなされる各種の操作例について説明するための図である。
【００８５】
ウェブブラウザのアプリケーションが実行された場合、図８に示すように、表示面３にはウェブ画面が表示される。たとえば、ウェブ画面は、背景画像、アイコン、操作ボタン、ハイパーテキスト、サムネイル画像等の構成画像により構成される。
【００８６】
図８に示された操作例１のように、初期のタッチ位置に背景画像が存在するとともに初期のタッチ位置の近辺にアイコンが存在する場合、アイコンをタップ操作しようとしたときに初期のタッチ位置がアイコンからずれて背景画像に位置してしまう可能性がある。この場合、図７の表示制御処理によれば、初期のタッチ位置から所定範囲以内に別の対象画像が存在すると判定されて、平均位置データがタッチ操作の判定に用いられる。このため、初期のタッチ位置がアイコンからずれてしまった場合でも、初期のタッチ位置から直ちにアイコンへタッチ位置が移れば、平均位置データが示すタッチ位置はアイコンの位置となる。よって、ユーザがアイコンを操作したつもりが隣接する背景画像が操作されたと誤検出されるようなことが生じにくくなる。
【００８７】
図８に示された操作例２のように、操作対象が小さな操作ボタンである場合、たとえば、操作ボタンに対するロングタップ操作の途中に指ぶれが生じて、僅かの間、タッチ位置が操作ボタンから外れてしまう可能性がある。操作ボタンが小さい場合、図７の表示制御処理によれば、対象画像のサイズが所定の閾値以下であると判定されて、平均位置データがタッチ操作の判定に用いられる。このため、ロングタップ操作の途中に、僅かの間、タッチ位置が操作ボタンから外れてしまっても、平均位置データが示すタッチ位置は操作ボタン上に維持されたままとなる。よって、指ぶれにより、操作ボタンに対するロングタップ操作が無効となるというような不具合が生じにくくなる。
【００８８】
図８に示された操作例３のように、近くにアイコン等がない位置において、画面をスクロールするために、背景画像に対してスライド操作がなされた場合には、指ぶれ等が生じても誤検出が生じる可能性は小さい。上記の場合、図７の表示制御処理によれば、対象画像に画面をスクロールためのタッチ操作が割り当てられていると判定されて、単一位置データがタッチ操作の判定に用いられる。単一位置データが用いられた場合、タッチ検出部１４から単一位置データの出力が開始される際に平均位置データのような遅延が生じない。よって、スライド操作に素早く応答して画面がスクロールされる。
【００８９】
以上、本実施の形態によれば、タッチ操作がなされる位置およびその周辺における画面の状況が判定され、単一位置データおよび平均位置データのうち、その画面の状況に適した位置データがタッチ操作の検出に用いられる。よって、追従性の低下を抑制しつつタッチ操作の信頼性を高めることができる。
【００９０】
＜第２実施形態の変更例＞
図９は、本変更例に係る表示制御処理の流れを示すフローチャートである。
【００９１】
本変更例では、パネルコントローラ１４ｂから同時期に、高平均位置データと低平均位置データとが出力される。高平均位置データおよび低平均位置データについては、上記第１実施形態の変更例にて説明した通りである。
【００９２】
ユーザによるタッチ操作がなされ、タッチ検出部１４から初期のタッチ位置を示す最初の低平均位置データが出力されると、制御部１１は、この最初の低平均位置データを取得する（Ｓ３１１）。
【００９３】
制御部１１は、取得した低平均位置データに基づいて、画面情報テーブル１２ｂを参照し、初期のタッチ値に、対象画像が存在するか否かを判定する（Ｓ３１２）。対象画像が存在する場合（Ｓ３１２：ＹＥＳ）、さらに、制御部１１は、初期のタッチ位置から所定範囲以内に別の対象画像が存在するか（Ｓ３１３：ＹＥＳ）、あるいは、対象画像のサイズが所定の閾値以下であるか（Ｓ３１４：ＹＥＳ）、あるいは、対象画像に画面をスクロールためのタッチ操作が割り当てられてなければ（Ｓ３１５：ＮＯ）、低平均位置データより遅れて出力され始める高平均位置データを、表示部１３の制御に用いる位置データとして選択し、この回のタッチ操作がなされている間、高平均位置データを順次取得する（Ｓ３１６）。
【００９４】
一方、制御部１１は、初期のタッチ位置から所定範囲以内に別の対象画像が存在せず（Ｓ３１３：ＮＯ）、且つ、対象画像のサイズが所定の閾値以下でなく（Ｓ３１４：ＮＯ）、且つ、対象画像に画面をスクロールためのタッチ操作が割り当てられていれば（Ｓ３１５：ＹＥＳ）、低平均位置データを表示部１３の制御に用いる位置データとして選択し、この回のタッチ操作がなされている間、引き続き低平均位置データを順次取得する（Ｓ３１７）。
【００９５】
制御部１１は、取得した位置データ（高平均位置データまたは低平均位置データ）に基づいて、画面情報テーブル１２ｂを参照してタッチ操作がなされた構成画像を判定するとともに、タッチ操作の種類を判定する（Ｓ３１８）。制御部１１は、画面情報テーブル１２ｂを参照し、タッチ操作がなされた構成画像とタッチ操作の種類に割り当てられた処理を実行し、表示部１３の画面を更新する（Ｓ３１９）。
【００９６】
以上、本変更例によれば、上記第２実施形態と同様、追従性の低下を抑制しつつタッチ操作の信頼性を高めることができる。ただし、上記第２実施形態に比べ、全体として、追従性の低下の抑止効果はやや小さくなり、タッチ操作の信頼性はやや高まる。
【００９７】
＜その他＞
以上、本発明の実施の形態および変更例について説明したが、本発明は、上記実施の形態等によって何ら制限されるものではなく、また、本発明の実施の形態も、上記以外に種々の変更が可能である。
【００９８】
たとえば、上記第１実施形態および上記第２実施形態では、タッチ検出部１４から単一位置データおよび平均位置データの双方が出力される構成とされている。しかしながら、タッチ検出部１４は、単一位置データが出力されて平均位置データが出力されない構成とされても良い。この場合、制御部１１に、位置データ出力部が設けられる。位置データ検出部は、タッチ検出部１４から出力された複数個の単一位置データを平均化して平均位置データを生成し、生成した平均位置データを出力する。さらに、位置データ出力部は、タッチ検出部１４から単一位置データをそのまま出力する。制御部１１に設けられた位置データ出力部が、上記第１実施形態の変更例および上記第２実施形態の変更例のパネルコン
トローラ１４ｂと同様、高平均位置データおよび低平均位置データを出力する構成とされても良い。
【００９９】
上記第２実施形態では、表示制御処理において、制御部１１は、初期のタッチ位置から所定範囲以内に、初期のタッチ位置に存在する対象画像とは別の対象画像があるか否かを判定するステップＳ３０３の処理、初期のタッチ位置に存在する対象画像のサイズが所定の閾値以下であるか否かを判定するステップＳ３０４の処理、および、初期のタッチ位置に存在する対象画像に画面をスクロールためのタッチ操作が割り当てられているか否かを判定するＳ３０５の処理が、全て実行される。しかしながら、これに限らず、表示制御処理において、ステップＳ３０３〜Ｓ３０５の３つの処理のうち、１つの処理あるいは任意の２つの処理が実行されても良い。
【０１００】
上記第１実施形態において、ユーザによる設定操作に基づいて、分類リスト１２ａが生成される構成、即ち、各アプリケーションに対する平均化処理の有無が設定される構成とすることができる。
【０１０１】
図１０（ａ）は、ユーザが設定操作を行うための設定画面を示す図である。図１０（ｂ）は、ユーザの設定操作により生成された分類リスト１２ａを示す図である。
【０１０２】
図１０（ａ）に示すように、設定画面には、たとえば、各アプリケーションの横にチェックボックス１０１が配されたアプリケーションの一覧が表示される。また、設定画面には、信頼性を重視するアプリケーションのチェックボックス１０１にチェックを入れることをユーザに知らせるためのウィンドウ１０２が表示される。さらに、設定画面には、設定ボタン１０３が表示される。
【０１０３】
ユーザが、信頼性重視のアプリケーションのチェックボックス１０１にタップ操作を行うと、制御部１１は、チェックボックス１０１内にチェックマークを表示させる。ユーザは、信頼性重視のアプリケーションを選択すると、設定ボタン１０３に対してタップ操作を行う。設定ボタン１０３に対してタップ操作が行われると、制御部１１は、チェックマークが入れられたアプリケーション、即ち、信頼性重視のアプリケーションを、平均化処理を行うアプリケーションとして設定し、チェックマークが入れられていないアプリケーション、即ち、追従性重視のアプリケーションを、平均化処理を行わないアプリケーションとして設定する。こうして、図９（ｂ）に示すように、制御部１１によって記憶部１２に分類リスト１２ａが生成される。
【０１０４】
同様に、第１実施形態の変更例における分類リスト１２ａが、ユーザの設定操作により生成される構成とすることもできる。
【０１０５】
さらに、携帯電話機１に新たなアプリケーションがインストールされる際、新たなアプリケーションを、信頼性重視のアプリケーションとするか追従性重視のアプリケーションとするかをユーザが設定できる設定画面が、制御部１１により表示部１３に表示されても良い。この場合、ユーザにより信頼性重視のアプリケーションに設定する操作がなされると、制御部１１は、新たなアプリケーションを、平均化処理を行うアプリケーションとして設定し、分類リスト１２ａに登録する。一方、ユーザにより追従性重視のアプリケーションに設定する操作がなされると、制御部１１は、新たなアプリケーションを、平均化処理を行わないアプリケーションとして設定し、分類リスト１２ａに登録する。
【０１０６】
さらに、携帯電話機１にインストールされているアプリケーションが、信頼性重視のアプリケーション（平均化処理を行うアプリケーション）または追従性重視のアプリケーション（平均化処理を行わないアプリケーション）の何れに設定されているのかを示す一覧
画面が、制御部１１により表示部１３に表示されても良い。
【０１０７】
上記第１実施形態および上記第２実施形態では、スマートフォン型の携帯電話機に本発明が適用されている。しかしながら、これに限らず、ストレート式、折りたたみ式、スライド式等、他のタイプの携帯電話機に本発明が適用されても良い。
【０１０８】
さらに、本発明は、タッチパネル式の携帯電話機に限られず、タッチパネル式のＰＤＡ（PersonalDigital Assistant）、タブレットＰＣ（Tablet PC）、電子書籍端末、携帯音楽プレーヤ、ポータブルテレビ等、各種のタッチ検出機能を有する電子機器に適用可能である。
【０１０９】
この他、本発明の実施の形態は、特許請求の範囲に示された技術的思想の範囲内において、適宜、種々の変更が可能である。
【符号の説明】
【０１１０】
３  表示面
１１  制御部（表示制御部）
１４  タッチ検出部
１４ａ  タッチパネル（位置検出部）
１４ｂ  パネルコントローラ（位置データ出力部）
【図１】
0005854928.tif 000002
【図２】
0005854928.tif 000003
【図３】
0005854928.tif 000004
【図４】
0005854928.tif 000005
【図５】
0005854928.tif 000006
【図６】
0005854928.tif 000007
【図７】
0005854928.tif 000008
【図８】
0005854928.tif 000009
【図９】
0005854928.tif 000010
【図１０】
0005854928.tif 000011